(57)【要約】ヘルメットの内部用のパッドが提供されている。このパッドは、所定の機能的部分と機能で規定される厚さ部分とを有する。このパッドが、この部分に設けられたカバー携行部を具える。このカバー携行部が、ヘルメットの外側の少なくとも一部を覆うよう構成されたカバーを受容するよう構成される。このカバーは、カバー携行部の中に受容されたときに、この部分が機能を果たすことができるような少なくとも一部の機能的部分を形成する。【選択図】図１
2008527187.tif 000002
【特許請求の範囲】
【請求項１】
ヘルメットの内部用パッドであって、
前記パッドが、所定の機能的部分と前記機能で規定される厚さとを有し、前記部分に設けられたカバー携行部を具えて、前記ヘルメットの外側の少なくとも一部を覆うよう構成されたカバーを収納するよう構成され、
前記カバーが、そのようにして収納されたときに、前記部分が前記機能を果たすことができるように、前記機能的部分の少なくとも一部を形成することを特徴とするヘルメットの内部用パッド。
【請求項２】
前記カバーが、収納されたときに、前記機能に関与することを特徴とする請求項１に記載のパッド。
【請求項３】
前記カバー携行部が凹部であることを特徴とする請求項１に記載のパッド。
【請求項４】
前記カバーをポーチの中に収納し、前記ポーチが前記パッドの前記カバー携行部に取付可能であることを特徴とする請求項１に記載のパッド。
【請求項５】
前記パッドの前記カバー携行部の厚さが、前記カバーを収納した前記ポーチの厚さを有することを特徴とする請求項４に記載のパッド。
【請求項６】
前記ポーチが、協働する締結手段によって前記カバー携行部に取り付けられることを特徴とする請求項４に記載のパッド。
【請求項７】
前記カバー携行部が、前記ヘルメットの頭部受容開口の近くに設けられていることを特徴とする請求項１に記載のパッド。
【請求項８】
前記カバー携行部が、前記ヘルメットの後部の近くに設けられることを特徴とする請求項７に記載のパッド。
【請求項９】
さらに、前記カバー携行部を構成する下向きの面を具えており、
前記ポーチが前記面に締結されるよう構成されていることを特徴とする請求項４に記載のパッド。
【請求項１０】
さらに、前記カバーを引き抜いたときに少なくとも機能的部分の一部を前記厚さの中に形成する取り外し可能な充填材を具えることを特徴とする請求項１に記載のパッド。
【請求項１１】
さらに、前記カバーを具えることを特徴とする請求項１から１０のいずれか１項に記載のパッド。
【請求項１２】
さらに、前記カバーを収納するよう構成されて前記パッドの少なくとも一部に取付可能なポーチを具えることを特徴とする請求項１に記載のパッド。
【請求項１３】
使用しない間ヘルメットを保護するよう構成されたカバーを収納するよう構成されたポーチであって、
前記ヘルメットが少なくとも１の柔軟な部分を有し、
前記ポーチが、さらに、前記柔軟な部分の少なくとも一部に取付可能に構成され、
前記ポーチが、少なくとも前記カバーを収納するときに、前記柔軟な部分の一部を構成するよう構成されたことを特徴とするポーチ。
【請求項１４】
前記カバーを前記ポーチの内側部分に取付可能であることを特徴とする請求項１３に記載のポーチ。
【請求項１５】
前記柔軟な部分がパッドであることを特徴とする請求項１３に記載のポーチ。
【請求項１６】
さらに、締結具によって閉じられるように構成されたことを特徴とする請求項１５に記載のポーチ。
【請求項１７】
前記パッドが、所定の機能的部分及び前記機能で規定される厚さを有し、前記パッドが前記部分と関連するカバー携行部を具えて、前記ヘルメットの外側の少なくとも一部を覆うよう構成されたカバーを収納するよう構成され、
前記カバーが、そのようにして収納されたときに、前記部分が前記機能を果たすことができるように、前記機能的部分の少なくとも一部を形成することを特徴とする請求項１５に記載のポーチ。
【請求項１８】
前記柔軟な部分がストラップであることを特徴とする請求項１３に記載のポーチ。
【請求項１９】
さらに、前記カバーを具えることを特徴とする請求項１３から１８のいずれか１項に記載のポーチ。
【請求項２０】
請求項１から１１のいずれか１項に記載の内部パッドを具えることを特徴とするヘルメット。
【請求項２１】
請求項１３から１９のいずれか１項に記載のポーチを具えることを特徴とするヘルメット。
【請求項２２】
さらに、前記ヘルメットを運ぶのに適合した取っ手を具えており、
少なくとも前記カバーを使用するときに前記取っ手を使用し得ることを特徴とする請求項２０又は２１に記載のヘルメット。
【請求項２３】
前記ヘルメットの空洞への取付に適応する収納容器であって、
（ａ）収納部と、
（ｂ）前記ヘルメットに前記収納部を固定するよう構成された取付手段と、
を具えることを特徴とする収納容器。
【請求項２４】
使用しない間ヘルメットを保護するよう構成されたカバーを収納するよう構成されていることを特徴とする請求項２３に記載の収納容器。
【請求項２５】
前記ヘルメットを覆うよう構成されたカバーを収納するよう構成されていることを特徴とする請求項２３に記載の収納容器。
【請求項２６】
前記収納部がポーチであることを特徴とする請求項２３に記載の収納容器。
【請求項２７】
前記収納部が固形容器であることを特徴とする請求項２３に記載の収納容器。
【請求項２８】
前記収納部が硬質又は半硬質材料でできていることを特徴とする請求項２３に記載の収納容器。
【請求項２９】
前記ヘルメットの使用中に役に立つ荷物を携行するよう構成されていることを特徴とする請求項２３に記載の収納容器。
【請求項３０】
前記収納部がケーブルの通路を成すことができるよう構成された開口を具えることを特徴とする請求項２３に記載の収納容器。
【請求項３１】
前記取付手段が少なくとも１の留め具を具えることを特徴とする請求項２３に記載の収納容器。
【請求項３２】
前記取付手段がストラップを具えることを特徴とする請求項２３に記載の収納容器。
【請求項３３】
前記取付手段が、前記収納部に取り付けられたフックとパイル式ファスナーの一片と、前記ヘルメットに取り付けられた対応するファスナーの一片とを具えることを特徴とする請求項２３に記載の収納容器。
【請求項３４】
ヘルメットの空洞への取付に適応する収納容器であって、
前記空洞の中にきつく嵌るような形状の収納部を具えることを特徴とする収納容器。
【請求項３５】
少なくとも１の空洞と、収納容器とを具え、
前記収納容器の中に品物を収納保持することを特徴とするヘルメット。
【請求項３６】
前記ヘルメットが内面と外面とを有し、
前記空洞が、開口を通して前記内面と外面との間を延びることを特徴とする請求項３５に記載のヘルメット。
【請求項３７】
複数の前記空洞を有することを特徴とする請求項３５又は３６に記載のヘルメット。
【請求項３８】
さらに、複数のリブを具えており、それらの間で前記空洞を規定することを特徴とする請求項３７に記載のヘルメット。
【発明の詳細な説明】
【技術分野】
【０００１】
本発明は、ヘルメットカバーのポーチに関する。
【背景技術】
【０００２】
ヘルメットは、一般に、バイク、自転車、カヌー、ラフティング、スキー、乗馬スポーツ、オートレース、登山、スカイダイビング、洞窟探検、フットボール、野球、ホッケー、ハイアライ、及びラクロスといった、これらに限定されるわけではないがいずれかの幅広い活動に参加する場合に、着用者の頭部を保護するために使用する。
【０００３】
ヘルメットの硬い外殻は、通常、衝撃時に大量のエネルギを吸収することによって第一線の保護を与えるよう構成されている。その外部は、一般に、へルメットの空力特性を改善し及び／又は美的なパターンを有するよう構成されている。空力特性の最適化は、着用者がバイクのようなかなりのスピードで移動する場合の使用に、特に重要である。
【０００４】
ヘルメットの内部は、多くの場合、パッド部を具えており、ぴったりとした嵌り具合を確実にして付加的な保護を与えている。パッドは、一般に、ヘルメットの外郭の近くに設けられた半硬質の部分を具えており、衝撃時に第二線の保護を与えるよう構成されている。パッドは、さらに、着用者の頭部及び首に対して衝撃吸収を与えるよう構成された軟らかい部分を具えている。こららの軟らかい部分は、カバーの中に収納される発泡体又は他の圧縮性材料を具えてもよい。
【０００５】
ヘルメットの所有者は、多くの場合、カバーを使用して、ヘルメットの外部及び／又は内部を保護する。カバーは、カバーが使用中に着用者の視界を損わずにヘルメットを覆えるように、バイザー用の開口を有してもよく、ヘルメットを使用しないときにバイザーごと外部全体を覆うよう構成してもよい。
【０００６】
被り物の中に設けられた収納部は、当技術分野で周知である。米国特許第６，０２３，７８８号は、内側に収納ポケットを有する帽子を開示しており、収納ポケットは、全体として、帽子が着用者の頭部に接触しない前部のデッドスペースの中に設けられている。このような部分に収納ポケットを設けることによって、収納した品物が着用者の頭部を押すことによる不快感だけでなく、見苦しい膨らみが避けられる。
【０００７】
米国特許第５，４５９，８８１号は、被り物とポンチョとの組み合わせを開示しており、ポンチョを収納する区画を形成するよう設けられた裏地を具えた頭部を有する帽子を含んでいる。裏地は、ポンチョを引き出したり区画に入れる開口を具えて形成されている。補足的に、区画を固定するためのマジックテープ（登録商標）構成といった締結手段が開口に沿って裏地に設けられている。また、頭部は、収縮手段を具えており、ポンチョを区画に収納するとき又はポンチョを区画から取り出して拡げるときに、この頭部が着用者の頭部にぴったりと嵌るよう動作可能に構成されていて、頭部の重量を減らしている。
【０００８】
米国特許第３，９９７，１５６号は、手品を行う者が使用する帽子を開示している。この帽子は、一般に、一端に固定された縁部と他端を覆う遮蔽板とを具えた円筒状部分を有する。複数の内部空洞が、様々なイリュージョンを行い易くするよう設けられている。１つの空洞が帽子に直接注がれた流体（すなわち、水）を貯蔵するための流体貯蔵部を具え、帽子が逆さになったときにも流体を保持する。別の空洞が、一組のトランプ及び／又は旗又は他の適切な衣服のための隠れた収納部を提供する。帽子の円筒状の壁の長手方向に沿った３番目の空洞が、魔法の棒用の収納部を与えており、別の柔軟な流体貯蔵部を取り付けている。１組の開口が、帽子の縁部の近くの円筒状部分の側壁に設けられており、魔法の棒に近付けて柔軟な貯蔵部を絞ることで帽子の頂部から水の流れを噴き出させることができる。弾力性のある繊維のベルトが開口を覆って取り付けられており、それらの存在を隠してごまかしている。
【発明の開示】
【発明が解決しようとする課題】
【０００９】
本発明は、特にヘルメットを使用するときに、ヘルメット外部の少なくとも一部を覆うよう構成されたカバーを収納するのに役立つヘルメットに関する収納部を提供することに関する。
【課題を解決するための手段】
【００１０】
本発明に係る一形態によれば、ヘルメット内部用のパッドが提供されている。このパッドは、所定の機能を果たすよう構成された、この機能によって規定される厚さの部分を有する。この機能は、一般に、快適な嵌り具合を提供し、衝撃時には、着用者に対してさらなる保護を与える。パッドは、さらに、機能的部分にカバーを収納するよう構成されたカバー携行部を具えている。カバーをヘルメットの収納部に収納するときに、収納部が機能的部分の少なくとも一部を形成して、この部分がその機能を果たすことができる。ある実施例によれば、カバーを収納するときに、機能に関与する。
【００１１】
機能的部分を、ヘルメットの後部の頭部受容開口の近くに設けてもよい。また、機能的部分を開口の近くのヘルメットの一方の側面に設けてもよい。
【００１２】
本発明の別の形態によれば、上記のヘルメットのカバーを収納するよう構成されたポーチが提供されている。ヘルメットは、少なくとも１つの柔軟な部分を有する。このポーチは、ヘルメットの柔軟な部分に取付可能であり、少なくともカバーをその中に収納するときに、柔軟な部分の一部を構成するよう構成されている。ある実施例によれば、柔軟な部分は、ヘルメットのパッドの一部分である。別の実施例によれば、柔軟な部分が、着用者の頭部にヘルメットを固定するよう構成された、ネックストラップといったストラップ状である。
【００１３】
本発明の別の形態によれば、本発明の第１の形態に従ったパッド、又は本発明の第２の形態に従ったポーチのいずれかを有するヘルメットが提供されている。ヘルメットは、パッド及びポーチの双方を具えてもよい。
【００１４】
本発明のさらに別の態様によれば、少なくとも１の空洞又は開口（以下、「空洞」）を有するヘルメットとともに使用する収納容器が提供されている。ヘルメットは、複数のリブを具えてもよく、それらの間で空洞を規定する。収納容器は、ヘルメットへの取付に適応し、空洞の中に収納するよう構成された収納部と、収納部を空洞又は空洞の近くのヘルメットに固定するよう構成され空洞の中に収納部を保持する取付手段とを具えている。
【００１５】
収納部は、空洞の一部のみを占めて大まかに収納するような形状であったり、又は空洞の中にきつく嵌るような形状でもよい。
【００１６】
収納部は、ポーチ又は入れ物の形状でもよく、収納部を柔軟な固形又は半固形材料で作製してもよい。
【００１７】
収納部を、例えばヘルメットカバーといった適切な品物を携行するよう構成して、ヘルメットを使用するとき及び使用しないときのいずれの場合に使用してもよい。
【００１８】
収納部を、ヘルメットを使用する間に役に立ったり役に立たない荷物を運ぶよう構成してもよい。また、収納部は、ケーブルの通路を成すことができるよう構成された開口を具えてもよい。
【００１９】
取付手段は、少なくとも１つのクリップ、ストラップ等といった、既知の適切な手段でよい。この取付手段は、収納部に取り付けられたマジックテープ（登録商標）ファスナーの一片と、ヘルメットに取り付けられた対応するファスナーの一片とを具えてもよい。
【発明を実施するための最良の形態】
【００２０】
ここで、本発明を理解し、実際にどのように実行するのかを理解するために、添付図面参照して非限定的な手段で実施例を記載する。
【００２１】
図１は、本発明の一実施例に従って全体的に符号１０で表示するヘルメットを示す。ヘルメット１０は、着用者の頭部を受容するよう構成された内部空洞１４と、頭部受容開口１６とを具えている。内部空洞１４は、所定の厚さを有するパッド１８を通常は具えており、ぴったりした着用及びヘルメットの衝撃吸収能力の増加を確実にする。パッド１８を、頭部受容開口１６の近くの後部及び側部２０、２２と同じ位かもっと厚くしてもよい。これらの部分２０、２２は、本発明に従ったパッドの機能的部分を構成する。それらは、着用者に快適性を与える働きをして確実にぴったりと合わせる。衝撃を受ける場合は、それらが、着用者にさらなる保護を与える。前部開口２４が、ヘルメット１０の前面に設けられ、着用者の使用中、前方の視線を遮らないようにすることができる。前部開口２４を、代替的に、透明又は半透明のバイザー（図示せず）で覆ってもよい。ヘルメット１０は、さらに、空力特性を有するよう通常構成された外部２６を具えており、美的に見て美しい装飾をさらに有してもよい。
【００２２】
凹部１１は、パッド１８後部２２のパッド１８の中に設けられている。この凹部１１は、ヘルメットを保護するよう構成されたヘルメットカバーを使用しないときに収納するよう構成される。このカバーは、そのようにして収納したときに、パッド１８の厚さの一部を具える。このようにして、カバーが着用者に対して快適性及び保護を与えることに関与する。カバーを、付加的に、収納ポーチ（図１には図示せず）の中に収納した上で、さらに凹部１１の中に収納してもよい。ヘルメットを使用しないときに、カバーを凹部１１から取り出して、ヘルメットの保護に使用する。
【００２３】
図２は、本発明に係る別の実施例を示す。ヘルメット１０は、図１を参照して記載したものと基本的に同様である。しかしながら、ポーチ１２が、凹部の代わりに、パッド１８と一体の部分を形成する。それは、収納に適応した内部２８を具えており、ジッパー又は（Ｖｅｌｃｒｏの商標の下で販売されている）マジックテープ（登録商標）構成といった締め具３０（閉鎖状態を示す）を有して、カバーを収納する際にポーチを閉めてもよい。収納中に、ポーチ１２及びカバーは厚さの中の付加的なパッドとなる。特に、ポーチは、本実施例に関する頭部受容開口１６の近くであって、パッド２８の機能的部分である後部２０に埋め込まれている。しかしながら、様々な適切な構成が可能である。カバーをポーチの内部に又はポーチとは別に取り付けてもよい。
【００２４】
通常は、使用しないときに、ヘルメットをその頭部受容開口１６を掴むことによって運んでもよい。しかしながら、カバーは内部ごとヘルメット１０全体を保護するよう構成されており、開口を塞いて掴みにくく又は掴むことができない可能性がある。このため、図５に示すように、取っ手３４をポーチ１２の内側に取り付けてもよい。ポーチ１２の内側に取っ手３４を設けることは、カバーを付けたときに特に役に立つが、カバーを付けていないときにおいても、このような取っ手を提供することが役に立つ。
【００２５】
ポーチの位置は、頭部受容開口１６の上方のヘルメットの内部１４の中に限定されないことに留意されたい。別の実施例によれば、図３に示すように、ポーチ１２を、頭部受容開口１６の下方に垂れ下がるパッドの部分１９の中に組み込んでもよい。ただし、ポーチ１２はヘルメット外部２６の構造に影響を与えないことに留意されたい。
【００２６】
図４は、本発明の別の実施例を示しており、ここでは上記のポーチ１２がパッドに取付可能である。ポーチ１２を、パッドから取外可能としたり、又はそれに取り外せないように固定してもよい。ポーチが取外可能な場合に、ポーチ１２とパッド１８との界面３２に取り付けられた協働する取付手段（マジックテープ（登録商標）構成又は留め金といったもの）を、ポーチ１２とパッド１８との取付が生じる場所に固定してもよい。このような構成は、上記の実施例のいずれかに係る一体化したポーチを有しない従来のヘルメットに、パッド１８又はその必要な代替品の形状又は構造に悪影響を及ぼさずに、本発明に係るポーチ１２を適用することができる、という利点を有する。
【００２７】
一般にヘルメットのパッド部の中に配置され又は関連する上記の収納凹部又はポーチに加えて、以下のようにヘルメットの一部として他の収納手段を与えることは本発明の範囲内である。
【００２８】
図６は、本発明に従った収納容器５０の一実施例を示す。この容器５０は、ヘルメット５２に取り付けられるよう構成されている。ヘルメット５２は、例えば通気のために、そこに形成された開口５４を具えている。ある改良によれば、容器５０が、実質的に開口５４の形状を有する硬質又は半硬質材料でできている。別の改良によれば、収納容器５０が柔軟な材料でできていて、ヘルメットを使用する時に開口５４の中にきつく嵌るよう構成されている。容器５０は、好適には、使用中にヘルメット５２の外殻と面一になるよう構成される。容器５０を、収納したときにぴったりと嵌るヘルメットカバー（図示せず）を収納するよう適応させてもよい。
【００２９】
収納容器５０の外部及び開口５４の相対向する部分は、（Ｖｅｌｃｒｏ（商標）といった）マジックテープ（登録商標）ファスナーの対応する小片を具えてもよい。ファスナーの厚さは、開口５４と対向する容器５０の大きさを決定する際に考慮される。
【００３０】
図７は、開口１５４に収納するようにしてヘルメット１５２に取り付けるよう構成した本発明に従った収納容器のさらなる実施例を示す。
【００３１】
図７の収納容器１５０は、収納部１５６と、収納部１５６に取り付けた取付手段１５８とを具える。収納部１５６を、使用目的に適した材料で作製してもよい。取付手段１５８は、少なくとも１のクリップ又はストラップを具えてもよい。ストラップを、マジックテープ（登録商標）のような締結手段で閉めるよう構成してもよい。別の改良によれば、ヘルメット１５２が、ヘルメット１５２と一体となった締結手段の一方の部分を具えてもよく、収納容器１５０が相補的な締結手段を具えてもよい。収納容器１５０は、実質的に開口１５４から出っ張らないで開口１５４の中に収納されるよう構成され、金銭、ヘルメットカバー等といった、適切な品物の保持に適合する。
【００３２】
図７の収納容器２５０は、上記の容器１５０の構成と同じであり、さらに、少なくとも１の開口２６０を具える。容器２５０は、ヘルメット１５２の開口１５４のうちの１に収まるＭＰ３プレーヤといった媒体装置を保持するよう構成される。少なくとも１の開口２６０が、両耳用又は他のヘッドホン２６２のための通路を成すことができるよう構成される。容器は、さらに、媒体装置の制御機器に開口２６４を通してアクセスできるよう構成した少なくとも１の開口２６４を具えている。
【００３３】
当業者にとって当然のことながら、本発明は、上記の典型的な実施例によって特に示したものに限定されない。このため、ポーチ及びパッドを、本発明の範囲内で必要な変更を加えた様々な形態によって実施できる。
【図面の簡単な説明】
【００３４】
【図１】図１は、本発明の一実施例に従った凹部を有するパッドを具えるヘルメットの断面図である。
【図２】図２は、本発明の別の実施例に従ったパッド及びパッド内部のポーチを具えるヘルメットの断面図である。
【図３】図３は、本発明の別の実施例に従ったパッドに取り付けられたポーチを具えるヘルメットの断面図である。
【図４】図４は、本発明のさらに別の実施例に従ったパッドに取り付けられたポーチを具えるヘルメットの断面図である。
【図５】図５は、ポーチ及びポーチに取り付けられたカバーを具えるヘルメットの底面図である。
【図６】図６は、本発明に従ったヘルメット及び対応する収納容器を示す。
【図７】図７は、本発明に従った様々な収納容器を具えたヘルメットを示す。
【図１】
2008527187.tif 000003
【図２】
2008527187.tif 000004
【図３】
2008527187.tif 000005
【図４】
2008527187.tif 000006
【図５】
2008527187.tif 000007
【図６】
2008527187.tif 000008
【図７】
2008527187.tif 000009
【国際調査報告】
2008527187.tif 000010
2008527187.tif 000011
2008527187.tif 000012
2008527187.tif 000013
2008527187.tif 000014